(57)【要約】【課題】紛失時に拾得者による不正利用の防止と返却を促進することができる携帯端末装置、返却システム、返却方法、及び返却誘導方法を提供する。【解決手段】拾得物として所有者に返却される時における拾得者への謝礼の対価の表示、紛失後の謝礼の対価の推移スケジュールの表示をすることで拾得者が返却しやすくなり、遠隔操作により機能を制限するようにしたことにより、拾得者による不正利用が防止される。【選択図】図１
2008252552.tif 000002
【特許請求の範囲】
【請求項１】
拾得物として所有者に返却される時における拾得者への謝礼の対価の表示、及び紛失後の前記謝礼の対価の推移スケジュールの表示を行い、遠隔操作により機能を制限するようにしたことを特徴とする携帯端末装置。
【請求項２】
前記謝礼の対価および紛失後の対価の推移スケジュールを所有者が遠隔操作で変更するようにしたことを特徴とする請求項１記載の携帯端末装置。
【請求項３】
前記機能の制限を所有者が遠隔操作で解除するようにしたことを特徴とする請求項１または２記載の携帯端末装置。
【請求項４】
前記遠隔操作を行う時に認証を利用するようにしたことを特徴とする請求項１から３のいずれか１項記載の携帯端末装置。
【請求項５】
前記謝礼の対価および紛失後の推移スケジュールを、所有者から離れた時点もしくは所有者が紛失に気づいた時点からの相対時間に基づいて紛失前に入力する機能を有することを特徴とする請求項１から４のいずれか１項記載の携帯端末装置。
【請求項６】
現在の操作状態を表示するか、または他の携帯端末装置に送信するようにしたことを特徴とする請求項１から５のいずれか１項記載の携帯端末装置。
【請求項７】
返却場所がネットワークサービス提供者、公共機関、もしくは紛失対応サービス事業者を含む第三者機関である旨を表示するようにしたことを特徴とする請求項１から６のいずれか１項記載の携帯端末装置。
【請求項８】
紛失の検知としてＳＰＣを用いたことを特徴とする請求項１から７のいずれか１項記載の携帯端末装置。
【請求項９】
携帯端末装置が拾得物として所有者に返却される時における拾得者への謝礼の対価及び紛失後の前記謝礼の対価の推移スケジュールを表示する携帯端末装置と、
前記拾得者が前記携帯端末装置を前記所有者に返却する意志があると判断した場合、仲介業者に仲介する旨の情報が前記携帯端末装置から送信される前記仲介業者の端末と、
前記仲介業者に前記携帯端末装置が委託されると、前記所有者に前記携帯端末装置が返却されると共に、前記所有者から前記謝礼が前記仲介業者を介して前記拾得者に支払われるようにしたことを特徴とする紛失携帯端末装置返却システム。
【請求項１０】
前記携帯端末装置の紛失をＳＰＣキーで検知するようにしたことを特徴とする請求項９記載の紛失携帯端末装置返却システム。
【請求項１１】
携帯端末装置が拾得物として所有者に返却される時における拾得者への謝礼の対価及び紛失後の前記謝礼の対価の推移スケジュールを表示し、
前記拾得者が前記携帯端末装置を前記所有者に返却する意志があると判断した場合、仲介業者に仲介する旨の情報が前記携帯端末装置から前記仲介業者の端末に送信され、かつ前記仲介業者に前記携帯端末装置が委託されると、前記所有者に前記携帯端末装置が返却されると共に、前記所有者から前記謝礼が前記仲介業者を介して前記拾得者に支払われるようにしたことを特徴とする紛失携帯端末装置返却方法。
【請求項１２】
前記携帯端末装置の返却時に前記拾得者が前記所有者に対して匿名性を持つようにしたことを特徴とする請求項１１記載の紛失携帯端末装置返却方法。
【請求項１３】
前記携帯端末装置の紛失の検知としてＳＰＣを用いることを特徴とする請求項１１または１２記載の紛失携帯端末装置返却方法。
【請求項１４】
携帯端末装置が拾得物として所有者に返却される時における拾得者への謝礼の対価及び紛失後の前記謝礼の対価の推移スケジュールを表示し、
前記拾得者が前記携帯端末装置を前記所有者に返却する意志がないと判断した場合、所有者によって遠隔操作により前記携帯端末装置の通信先を制限することで返却を促すようにしたことを特徴とする紛失携帯端末装置返却誘導方法。
【請求項１５】
前記携帯端末装置の返却時に前記拾得者が前記所有者に対して匿名性を持つようにしたことを特徴とする請求項１４記載の紛失携帯端末装置返却誘導方法。
【請求項１６】
前記携帯端末装置の紛失の検知としてＳＰＣを用いることを特徴とする請求項１４または１５記載の紛失携帯端末装置返却誘導方法。
【発明の詳細な説明】
【技術分野】
【０００１】
本発明は、携帯端末装置、返却システム、返却方法、及び返却誘導方法に関する。
【背景技術】
【０００２】
ＳＰＣ(Secure Private Cosm：安心空間)によるセキュリティシステムの利用か否かに関わらず、携帯電話やＰＣ（Personal Computer）などの紛失時に機能制限やロックをかけて拾得者によって悪用されないようにするシステムは多々存在する（例えば、特許文献１〜６参照。）。
【特許文献１】特開２００１−２８３３５０号公報
【特許文献２】特開２００３−３４６２５４号公報
【特許文献３】特開２００４−０８６４１１号公報
【特許文献４】特開２００４−２６０３４５号公報
【特許文献５】特開２００６−１０７０９４号公報
【特許文献６】特開２００６−２２８０４８号公報
【発明の開示】
【発明が解決しようとする課題】
【０００３】
しかしながら、拾得者が返却手続きを促すために対価を表示し、手続き後に返却された時に対価を支払う仕組みはあるものの、紛失時に拾得者により不正利用されることがあった。
また、ＳＰＣによるセキュリティシステムの利用か否かに関わらず、携帯電話やＰＣ等の紛失時に機能制限やロックをかけて拾得者によって悪用されないようにする仕組みは多くある。しかし、拾得者が返却手続を促すために対価を表示し、その対価が推移し、手続後に返却された時に対価を支払う仕組みはなかった。
そこで、本発明の目的は、紛失時に拾得者による不正利用の防止と返却を促進することができる携帯端末装置、返却システム、返却方法、及び返却誘導方法を提供することにある。
【課題を解決するための手段】
【０００４】
上記課題を解決するため、請求項１記載の発明は、拾得物として所有者に返却される時における拾得者への謝礼の対価の表示、及び紛失後の前記謝礼の対価の推移スケジュールの表示を行い、遠隔操作により機能を制限するようにしたことを特徴とする。
【０００５】
請求項１記載の発明によれば、拾得物として所有者に返却される時における拾得者への謝礼の対価の表示、紛失後の前記謝礼の対価の推移スケジュールの表示をすることで拾得者の返却意識を向上させると共に返却しやすくなる。また、遠隔操作により機能を制限するようにしたことにより、拾得者による不正利用が防止される。
【０００６】
請求項２記載の発明は、請求項１記載の発明において、前記謝礼の対価および紛失後の対価の推移スケジュールを所有者が遠隔操作で変更するようにしたことを特徴とする。
【０００７】
請求項２記載の発明によれば、謝礼の対価および紛失後の対価の推移スケジュールを所有者が遠隔操作で変更するようにしたことにより、謝礼の対価を値上げしたり、謝礼の対価の減少率を低下させたりすることにより拾得者の返却意欲を高めることで携帯端末装置の返却を促進することができる。
【０００８】
請求項３記載の発明は、請求項１または２記載の発明において、前記機能の制限を所有者が遠隔操作で解除するようにしたことを特徴とする。
【０００９】
請求項３記載の発明によれば、制限を所有者が遠隔操作で解除するようにしたことにより、拾得者が携帯端末装置を所有者の居所もしくは返却場所に行くためのナビゲーションシステムを利用したり、拾得者若しくは返却場所の関係者と連絡を取ったりすることができ、その結果、拾得者の返却意識を向上させると共に携帯端末装置の返却を促進することができる。
【００１０】
請求項４記載の発明は、請求項１から３のいずれか１項記載の発明において、前記遠隔操作を行う時に認証を利用するようにしたことを特徴とする。
【００１１】
請求項４記載の発明によれば、遠隔操作を行う時に認証を利用するようにしたことにより、セキュリティを確保することができる。
【００１２】
請求項５記載の発明は、請求項１から４のいずれか１項記載の発明において、前記謝礼の対価および紛失後の推移スケジュールを、所有者から離れた時点もしくは所有者が紛失に気づいた時点からの相対時間に基づいて紛失前に入力する機能を有することを特徴とする。
【００１３】
請求項５記載の発明によれば、謝礼の対価および紛失後の推移スケジュールを、所有者から離れた時点もしくは所有者が紛失に気づいた時点からの相対時間に基づいて紛失前に入力する機能を有することにより、所有者が携帯端末装置を紛失した場合に対して事前に対策をとることができる。
【００１４】
請求項６記載の発明は、請求項１から５のいずれか１項記載の発明において、現在の操作状態を表示するか、または他の携帯端末装置に送信するようにしたことを特徴とする。
【００１５】
請求項６記載の発明によれば、現在の操作状態を表示するようにしたことにより、拾得者が返却に向けて操作しやすくなり、他の携帯端末装置に送信するようにしたことにより、所有者は紛失した携帯端末装置が不正利用されているか否かを把握することができる。
【００１６】
請求項７記載の発明は、請求項１から６のいずれか１項記載の発明において、返却場所がネットワークサービス提供者、公共機関、もしくは紛失対応サービス事業者を含む第三者機関である旨を表示するようにしたことを特徴とする。
【００１７】
請求項７記載の発明によれば、返却場所がネットワークサービス提供者、公共機関、もしくは紛失対応サービス事業者を含む第三者機関である旨を表示するようにしたことで拾得者に対して返却意欲を向上させることができる。
【００１８】
請求項８記載の発明は、請求項１から７のいずれか１項記載の発明において、紛失の検知としてＳＰＣを用いたことを特徴とする。
【００１９】
請求項８記載の発明によれば、携帯端末装置の紛失の検知としてＳＰＣを用いることにより、所有者はいち早く携帯端末装置の紛失を把握することができる。
【００２０】
請求項９記載の発明は、携帯端末装置が拾得物として所有者に返却される時における拾得者への謝礼の対価及び紛失後の前記謝礼の対価の推移スケジュールを表示する携帯端末装置と、前記拾得者に、前記携帯端末装置が前記所有者に返却する意志があると判断した場合、仲介業者に仲介する旨の情報が前記携帯端末装置から送信される前記仲介業者の端末と、前記仲介業者に前記携帯端末装置が委託されると、前記所有者に前記携帯端末装置が返却されると共に、前記所有者から前記謝礼が前記仲介業者を介して前記拾得者に支払われるようにしたことを特徴とする。
【００２１】
請求項９記載の発明によれば、携帯端末装置が拾得物として所有者に返却される時における拾得者への謝礼の対価及び紛失後の謝礼の対価の推移スケジュールを表示することにより拾得者の返却意欲を向上させることができる。拾得者が携帯端末装置を所有者に返却する意志があると判断した場合、仲介業者に仲介する旨の情報が携帯端末装置から仲介業者の端末に送信され、かつ仲介業者に携帯端末装置が委託されると、所有者に携帯端末装置が返却されると共に、所有者から謝礼が仲介業者を介して拾得者に支払われるようにすることで、拾得者が確実に謝礼を受け取ることができると共に、所有者に確実に携帯端末装置が返却される。
【００２２】
請求項１０記載の発明は、請求項９記載の発明において、前記携帯端末装置の紛失をＳＰＣキーで検知するようにしたことを特徴とする。
【００２３】
請求項１０記載の発明によれば、携帯端末装置の紛失の検知としてのＳＰＣキーとを備えたことにより、所有者はいち早く携帯端末装置の紛失を把握することができる。
【００２４】
請求項１１記載の発明は、携帯端末装置が拾得物として所有者に返却される時における拾得者への謝礼の対価及び紛失後の前記謝礼の対価の推移スケジュールを表示し、前記拾得者が前記携帯端末装置を前記所有者に返却する意志があると判断した場合、仲介業者に仲介する旨の情報が前記携帯端末装置から前記仲介業者の端末に送信され、かつ前記仲介業者に前記携帯端末装置が委託されると、前記所有者に前記携帯端末装置が返却されると共に、前記所有者から前記謝礼が前記仲介業者を介して前記拾得者に支払われるようにしたことを特徴とする。
【００２５】
請求項１１記載の発明によれば、携帯端末装置が拾得物として所有者に返却される時における拾得者への謝礼の対価及び紛失後の謝礼の対価の推移スケジュールを表示することにより拾得者の返却意欲を向上させることができる。拾得者が携帯端末装置を所有者に返却する意志があると判断した場合、仲介業者に仲介する旨の情報が携帯端末装置から仲介業者の端末に送信され、かつ仲介業者に携帯端末装置が委託されると、所有者に携帯端末装置が返却されると共に、所有者から謝礼が前記仲介業者を介して拾得者に支払われるようにすることで、拾得者が確実に謝礼を受け取ることができると共に、所有者に確実に紛失した携帯端末装置が返却される。
【００２６】
請求項１２記載の発明は、請求項１１記載の発明において、前記携帯端末装置の返却時に前記拾得者が前記所有者に対して匿名性を持つようにしたことを特徴とする。
【００２７】
請求項１２記載の発明によれば、携帯端末装置の返却時に拾得者が所有者に対して匿名性を持つようにしたことにより、拾得者の個人情報が保護されるので、拾得者は安心して拾得した携帯端末装置を返却することができ、返却を促進することができる。
【００２８】
請求項１３記載の発明は、請求項１１または１２記載の発明において、前記携帯端末装置の紛失の検知としてＳＰＣを用いることを特徴とする。
【００２９】
請求項１３記載の発明によれば、携帯端末装置の紛失の検知としてＳＰＣを用いることにより、所有者はいち早く携帯端末装置の紛失を把握することができる。
【００３０】
請求項１４記載の発明は、携帯端末装置が拾得物として所有者に返却される時における拾得者への謝礼の対価及び紛失後の前記謝礼の対価の推移スケジュールを表示し、前記拾得者が前記携帯端末装置を前記所有者に返却する意志がないと判断した場合、所有者によって遠隔操作により前記携帯端末装置の通信先を制限することで返却を促すようにしたことを特徴とする。
【００３１】
請求項１４記載の発明によれば、携帯端末装置が拾得物として所有者に返却される時における拾得者への謝礼の対価及び紛失後の謝礼の対価の推移スケジュールを表示することで、拾得者の返却意欲を向上させることができる。ただし、拾得者が携帯端末装置を所有者に返却する意志がないと判断した場合、所有者によって遠隔操作により携帯端末装置の通信先を制限することで返却を促すようにしたことにより、その拾得者が返却を行うように気が変わるか、不正利用をあきらめるか、あるいは拾得した携帯端末装置を遺棄することで不正利用を防止することができ、他の拾得者（二次拾得者、三次拾得者、…）により紛失した携帯端末装置の返却が行われることが期待できる。
【００３２】
請求項１５記載の発明は、請求項１４記載の発明において、前記携帯端末装置の返却時に前記拾得者が前記所有者に対して匿名性を持つようにしたことを特徴とする。
【００３３】
請求項１５記載の発明によれば、携帯端末装置の返却時に拾得者が所有者に対して匿名性を持つようにしたことにより、拾得者の個人情報が保護されるので、拾得者は安心して紛失した携帯端末装置を返却することができ、返却を促進することができる。
【００３４】
請求項１６記載の発明は、請求項１４または１５記載の発明において、前記携帯端末装置の紛失の検知としてＳＰＣを用いることを特徴とする。
【００３５】
請求項１６記載の発明によれば、携帯端末装置の紛失の検知としてＳＰＣを用いることにより、所有者はいち早く携帯端末装置の紛失を把握することができる。
【００３６】
本発明は、紛失状態検知部もしくは紛失状態受信機能が紛失情報を検知し紛失状態判断部が紛失状態だと判断した時に返却対価情報表示部が返却時対価推移スケジュール情報保存部から現状における返却時対価を取得し表示する機能を有することを特徴とする。
【発明の効果】
【００３７】
本発明によれば、拾得物として所有者に返却される時における拾得者への謝礼の対価の表示、紛失後の謝礼の対価の推移スケジュールの表示をすることで拾得者が返却しやすくなり、遠隔操作により機能を制限するようにしたことにより、拾得者による不正利用が防止される。
【発明を実施するための最良の形態】
【００３８】
〔特  徴〕
携帯端末装置の紛失時に、拾得者に対して紛失した携帯端末装置を返却した場合の対価を表示し、拾得者が返却して紛失者（所有者）が受け取る時に謝礼の対価を拾得者が得ることができるようにした携帯端末装置、返却システム、返却方法、及び返却誘導方法を提供する。
ただし紛失とは、盗難や置き忘れを含むことではあるが、携帯端末装置とユーザとの距離が離れる状況/手元から離れる状況の全てを含む。
また、携帯端末装置とは、携帯電話、ＰＤＡ（Personal Digital Assistant）、ノートパソコン、及びラップトップ型パソコンを含む。
【００３９】
本発明の背景であるＳＰＣを利用している場合は、携帯端末装置とＳＰＣとの距離が離れる状況/手元から離れる状況を記す。ＳＰＣとはSecure Private Cosmの略であり、携帯端末装置とＳＰＣキーとが物理的な距離が離れることにより通信が遮断された時に端末の全機能もしくは一部の機能を自動的に無効にしたり制限をする制御を行ったりするシステムである。さらに通信が復活した時には機能を有効に戻したり制限がなくなったりする制御も含む。
【００４０】
本発明の携帯端末装置に係る一実施の形態は、拾得物として所有者に返却される時における拾得者への謝礼の対価の表示、及び紛失後の謝礼の対価の推移スケジュールの表示を行い、遠隔操作により機能を制限するようにしたことを特徴とする（請求項１）。
【００４１】
ここで、謝礼は現金が挙げられるが、商品券、ポイントもしくは品物でもよい。
謝礼の対価の推移とは、例えば、最初の３日は携帯端末装置の定価の２０％とし、以後１日間当たり１％ずつ低下させ最終的には５％とすることが挙げられる。また謝礼の対価を減少させるだけでなく増加させたり、定額としたりしてもよい。
遠隔操作による機能の制限とは、所有者への電話及びメールのみ使用可とすることが挙げられる。
【００４２】
上記構成によれば、拾得物として所有者に返却される時における拾得者への謝礼の対価の表示、紛失後の謝礼の対価の推移スケジュールの表示をすることで拾得者が返却しやすくなり、遠隔操作により機能を制限するようにしたことにより、拾得者による不正利用が防止される。
【００４３】
本発明の携帯端末装置に係る他の実施の形態は、上記構成に加え、謝礼の対価および紛失後の対価の推移スケジュールを所有者が遠隔操作で変更するようにしたことを特徴とする（請求項２）。
【００４４】
上記構成によれば、謝礼の対価および紛失後の対価の推移スケジュールを所有者が遠隔操作で変更するようにしたことにより、謝礼の対価を値上げしたり、対価の減少率を低下させたりすることにより拾得者の返却意欲を高めることができ、この結果携帯端末装置の返却を促進することができる。
【００４５】
本発明の携帯端末装置に係る他の実施の形態は、上記構成に加え、機能の制限を所有者が遠隔操作で解除するようにしたことを特徴とする（請求項３）。
【００４６】
上記構成によれば、制限を所有者が遠隔操作で解除するようにしたことにより、拾得者が携帯端末装置を所有者の居所もしくは返却場所に行くためのナビゲーションシステムを利用したり、拾得者若しくは返却場所の関係者と連絡を取ったりすることができ、その結果、携帯端末装置の返却を促進することができる。
【００４７】
本発明の携帯端末装置に係る他の実施の形態は、上記構成に加え、遠隔操作を行う時に認証を利用するようにしたことを特徴とする（請求項４）。
【００４８】
上記構成によれば、遠隔操作を行う時に認証を利用するようにしたことにより、セキュリティを確保することができる。
ここで、認証にはＰＳＷＤ（パスワード）や生体認証が挙げられる。生体認証としては、指紋、声紋、虹彩、手のひらの血管形状が挙げられる。
【００４９】
本発明の携帯端末装置に係る他の実施の形態は、上記構成に加え、謝礼の対価および紛失後の推移スケジュールを、所有者から離れた時点もしくは所有者が紛失に気づいた時点からの相対時間に基づいて紛失前に入力する機能を有することを特徴とする（請求項５）。
【００５０】
上記構成によれば、謝礼の対価および紛失後の推移スケジュールを、所有者から離れた時点もしくは所有者が紛失に気づいた時点からの相対時間に基づいて紛失前に入力する機能を有することにより、所有者が携帯端末装置を紛失した場合に対して事前に対策をとることができる。
【００５１】
本発明の携帯端末装置に係る他の実施の形態は、上記構成に加え、現在の操作状態を表示するか、または他の携帯端末装置に送信するようにしたことを特徴とする（請求項６）。
【００５２】
上記構成によれば、現在の操作状態を表示するようにしたことにより、拾得者が返却に向けて操作しやすくなり、他の携帯端末装置に送信するようにしたことにより、所有者は紛失した携帯端末装置が不正利用されているか否かを把握することができる。
【００５３】
本発明の携帯端末装置に係る他の実施の形態は、上記構成に加え、返却場所がネットワークサービス提供者、公共機関、もしくは紛失対応サービス事業者を含む第三者機関である旨を表示するようにしたことを特徴とする（請求項７）。
【００５４】
上記構成によれば、返却場所がネットワークサービス提供者、公共機関、もしくは紛失対応サービス事業者を含む第三者機関である旨を表示するようにしたことで拾得者に対して返却意欲を向上させることができる。
【００５５】
本発明の携帯端末装置に係る他の実施の形態は、上記構成に加え、携帯端末装置の紛失の検知としてＳＰＣを用いることを特徴とする（請求項８）。
【００５６】
上記構成によれば、携帯端末装置の紛失の検知としてＳＰＣを用いることにより、所有者はいち早く携帯端末装置の紛失を把握することができる。
【００５７】
本発明に係る紛失携帯端末装置返却システムの一実施の形態は、携帯端末装置が拾得物として所有者に返却される時における拾得者への謝礼の対価及び紛失後の謝礼の対価の推移スケジュールを表示する携帯端末装置と、拾得者が携帯端末装置を所有者に返却する意志があると判断した場合、仲介業者に仲介する旨の情報が携帯端末装置から送信される仲介業者の端末と、仲介業者に携帯端末装置が委託されると、所有者に携帯端末装置が返却されると共に、所有者から謝礼が仲介業者を介して拾得者に支払われるようにしたことを特徴とする（請求項９）。
ここで、拾得者が携帯端末装置を所有者に返却する意志があると判断した場合とは、拾得者による携帯端末装置の操作が返却を行うための操作、例えば、拾得者が使用者に電話したりＥメールを送信したりし、かつその内容が返却の旨であることを使用者が確認した場合、もしくは拾得者が仲介業者に電話したりＥメールを送信したりし、かつその内容が返却の旨であることを仲介業者が確認した場合をいう。
尚、拾得者が携帯端末装置を所有者に返却する意志がないと判断した場合とは、拾得者による携帯端末装置の操作が返却を行うための操作、例えば、拾得者が使用者に電話したりＥメールを送信したりする操作がなく、使用者もしくは仲介業者以外の番号に電話したりＥメールを送信したりする場合、使用者もしくは仲介業者に電話若しくはＥメールを行ったとしてもその内容が冷やかし、からかい等返却ではない旨であることを使用者もしくは仲介業者が確認した場合をいう。
【００５８】
上記構成によれば、携帯端末装置が拾得物として所有者に返却される時における拾得者への謝礼の対価及び紛失後の謝礼の対価の推移スケジュールを表示することにより拾得者の返却意欲を向上させることができる。拾得者により携帯端末装置が所有者に返却を行う意志がある場合、仲介業者に仲介する旨の情報が携帯端末装置から仲介業者の端末に送信され、かつ仲介業者に携帯端末装置が委託されると、所有者に携帯端末装置が返却されると共に、所有者から謝礼が仲介業者を介して拾得者に支払われるようにすることで、拾得者が確実に謝礼を受け取ることができると共に、所有者に確実に紛失した携帯端末装置が返却される。
【００５９】
本発明に係る紛失携帯端末装置返却システムの他の実施の形態は、上記構成に加え、携帯端末装置の紛失をＳＰＣキーで検知するようにしたことを特徴とする（請求項１０）。
【００６０】
上記構成によれば、携帯端末装置の紛失の検知としてのＳＰＣキーとを備えたことにより、所有者はいち早く携帯端末装置の紛失を把握することができる。
【００６１】
本発明に係る紛失携帯端末装置返却方法の一実施の形態は、携帯端末装置が拾得物として所有者に返却される時における拾得者への謝礼の対価及び紛失後の謝礼の対価の推移スケジュールを表示し、拾得者により携帯端末装置が所有者に返却を行う意志がある場合、仲介業者に仲介する旨の情報が携帯端末装置から仲介業者の端末に送信され、かつ仲介業者に携帯端末装置が委託されると、所有者に携帯端末装置が返却されると共に、所有者から謝礼が仲介業者を介して拾得者に支払われるようにしたことを特徴とする（請求項１１）。
【００６２】
上記構成によれば、携帯端末装置が拾得物として所有者に返却される時における拾得者への謝礼の対価及び紛失後の謝礼の対価の推移スケジュールを表示することにより拾得者の返却意欲を向上させることができる。拾得者により携帯端末装置が所有者に返却を行う意志がある場合、仲介業者に仲介する旨の情報が携帯端末装置から仲介業者の端末に送信され、かつ仲介業者に携帯端末装置が委託されると、所有者に携帯端末装置が返却されると共に、所有者から謝礼が仲介業者を介して拾得者に支払われるようにすることで、拾得者が確実に謝礼を受け取ることができると共に、所有者に確実に紛失した携帯端末装置が返却される。
【００６３】
本発明に係る紛失携帯端末装置返却方法の他の実施の形態は、上記構成に加え、携帯端末装置の返却時に拾得者が所有者に対して匿名性を持つようにしたことを特徴とする（請求項１２）。
【００６４】
上記構成によれば、携帯端末装置の返却時に拾得者が所有者に対して匿名性を持つようにしたことにより、拾得者の個人情報が保護されるので、拾得者は安心して紛失携帯端末装置を返却することができ、返却を促進することができる。
【００６５】
本発明に係る紛失携帯端末装置返却方法の他の実施の形態は、上記構成に加え、携帯端末装置の紛失の検知としてＳＰＣを用いることを特徴とする（請求項１３）。
【００６６】
上記構成によれば、携帯端末装置の紛失の検知としてＳＰＣを用いることにより、所有者はいち早く携帯端末装置の紛失を把握することができる。
【００６７】
本発明に係る紛失携帯端末装置返却誘導方法の一実施の形態は、携帯端末装置が拾得物として所有者に返却される時における拾得者への謝礼の対価及び紛失後の謝礼の対価の推移スケジュールを表示し、拾得者により携帯端末装置が所有者に返却を行う意志がない場合、所有者によって遠隔操作により携帯端末装置の通信先を制限することで返却を促すようにしたことを特徴とする（請求項１４）。
【００６８】
上記構成によれば、携帯端末装置が拾得物として所有者に返却される時における拾得者への謝礼の対価及び紛失後の謝礼の対価の推移スケジュールを表示することで、拾得者の返却意欲を向上させることができる。ただし、拾得者により携帯端末装置が所有者に返却を行う意志がない場合、所有者によって遠隔操作により携帯端末装置の通信先を制限することで返却を促すようにしたことにより、その拾得者が返却を行うように気が変わるか、不正利用をあきらめるか、あるいは拾得した携帯端末装置を遺棄することで不正利用を防止することができ、他の拾得者（二次拾得者、三次拾得者、…Ｎ次拾得者）により紛失した携帯端末装置の返却が行われることが期待できる。
【００６９】
本発明に係る紛失携帯端末装置返却誘導方法の他の実施の形態は、上記構成に加え、携帯端末装置の返却時に拾得者が所有者に対して匿名性を持つようにしたことを特徴とする（請求項１５）。
【００７０】
上記構成によれば、紛失した携帯端末装置の返却時に拾得者が所有者に対して匿名性を持つようにしたことにより、拾得者の個人情報が保護されるので、拾得者は安心して紛失携帯端末装置を返却することができ、返却を促進することができる。
【００７１】
本発明に係る紛失携帯端末装置返却誘導方法の他の実施の形態は、上記構成に加え、携帯端末装置の紛失の検知としてＳＰＣを用いることを特徴とする（請求項１６）。
【００７２】
上記構成によれば、携帯端末装置の紛失の検知としてＳＰＣを用いることにより、所有者はいち早く携帯端末装置の紛失を把握することができる。
【００７３】
なお、上述した実施の形態は、本発明の好適な実施の形態の一例を示すものであり、本発明はそれに限定されることなく、その要旨を逸脱しない範囲内において、種々変形実施が可能である。
例えば、ＳＰＣを用いる代わりに遠隔操作による携帯端末装置の画面ロックやスクリーンセーバのタイムアウトによる画面ロックを用いてもよい。
【実施例】
【００７４】
〔構  成〕
図１は、本発明に係る紛失携帯端末装置返却誘導方法を適用した紛失携帯端末装置返却システムの一実施例を示す概念図である。尚、本実施例では謝礼を報労金として説明するが、本発明はこれに限定されるものではない。
図１を参照すると、本実施例は、紛失した紛失携帯端末装置（以下「紛失端末１」と称す）と、ＳＰＣキー２と、外部端末３とを有する。但し、紛失端末１は、説明を簡単にするため、アンテナ、ベースバンド部、画像処理部、メモリ、スピーカ、マイクロフォン、カメラ、ＬＣＤ、テンキー等は省略されている。
紛失端末１は、本実施例では携帯電話として説明する。また、紛失端末１は、ＳＰＣキー２と互いに通信しており、紛失端末１はＳＰＣキー２が持つペアリング（Pairing）キーを確認している。確認可能時とはこの場合物理的な距離が近く電波が届くことを意味する。
【００７５】
また紛失端末１は、対価推移スケジュール情報保存部１１、紛失時端末制御部１２、操作状態判断部１３、紛失状態判断部１４、操作状態取得/保存部１５、紛失状態検知/解除部１６、外部入出力送受信部１７、及び認証部１８を備える。
【００７６】
外部端末３は、例えば、パーソナルコンピュータが挙げられる。
【００７７】
対価推移スケジュール情報保存部１１は、紛失端末１が返却された時に拾得者に対して支払われる報労金の対価の情報を保存する。この対価は紛失状態になってから時間推移や状況により変更することができる。例えばここでは携帯電話を紛失してからの３０分間は、報労金の対価を法律（日本国遺失物法第２８条第１項）で定める範囲の最高額（例えば紛失物の売却価格の２０％）とし、３０分後にある額を記しその後徐々に５％まで減少する対価の時間推移で設定したとする。尚、報労金の対価については、携帯端末装置を紛失した国、州、地域の法律や慣習に従って決定してもよい。
【００７８】
紛失時端末制御部１２は、事前に設定された返却方法や返却時に支払いを約束する対価やその推移スケジュール情報の表示、画面ロックや電話やＥメールの発信宛先の機能制限制御をする。
【００７９】
操作状態判断部１３は、紛失状態判断部１４や操作状態取得/保存部１５から端末の状態に関わる情報を取得し、端末全体の状態を判断する。携帯が不正利用されようとしているのか、返却されようとしているのかを解析する機能も含まれる。例えば、折りたたみ式の紛失端末１が開かれたか否か、返却するための操作がされたか否か（されているか否か）を判断する（使用者若しくは仲介業者への電話、Ｅメールの有無及び内容）。
【００８０】
紛失状態判断部１４は、紛失状態検知/解除部１６から紛失状態情報を取得し、判断する。また操作状態/取得保存部１５に紛失状態情報を通知する。
【００８１】
操作状態/取得保存部１５は、端末の操作状態や操作履歴を保存し、操作状態判断部１３に通知することができる。また紛失状態判断部１４より取得した紛失状態情報を用い、紛失状態時にだけ保存や通知をすることも可能である。
【００８２】
紛失状態検知/解除部１６は、ＳＰＣキー２が有するペアリング（Pairing）キー情報を定期的にもしくは不定期的に検知し、紛失状態判断部１４に紛失状態か非紛失状態かを通知する。通知は情報検知時に毎回通知する方法、そのサブセットの回数を通知する方法、差分が生じた時に通知する方法などが可能である。また所有者の本意でなく紛失状態になった時の解除方法として、パスワードや指紋認証、虹彩認証、静脈認証などの生体認証を通して認証した後に、紛失状態を解除し、非紛失状態に変更することができる。
【００８３】
外部入出力送受信部１７は、外部端末３からの紛失状態や対価条件情報を受信することや、外部端末３へ端末の状態を送信することを、認証部１８を通して行う。
【００８４】
また外部入出力送受信部１７は、設定情報受信機能１７１、端末状態情報通知機能１７２、及び紛失状態受信機能１７３を持つ。
【００８５】
設定情報受信機能１７１は、外部端末３から認証部１８を通して紛失時の対価の値やその推移スケジュールに関する入力を受信し、対価推移スケジュール情報保存部１１や紛失時端末制御部１２に伝達する。
【００８６】
端末状態情報通知機能１７２は、端末状態判断部１３から端末の位置情報、操作履歴、残存電池容量、返却手順のステータス（Status：携帯を開いただけの行為も含め、返却操作に入ったか否かなどの状態の情報）の端末状態情報を受信し、外部端末３に伝達する。
【００８７】
紛失状態受信機能１７３は、外部端末３から認証部１８を通して明示的な紛失状態入力を受信し、紛失状態判断部１４に伝達する。
【００８８】
認証部１８は、紛失端末１に事前に設定された認証条件に外部端末３からの入力がマッチするかを判断し、データの送受信の可不可を決める。
【００８９】
ＳＰＣキー２は紛失端末１と互いに通信しており、ＳＰＣキー２が持つペアリング（Pairing）キー情報を流し紛失端末１に受信させる。受信時はお互いの物理的な距離が近いことを意味する。
【００９０】
外部端末３は、紛失端末１に対して紛失状態と明示的に入力し、紛失端末１返却時に支払う対価およびその対価の推移スケジュール情報を入力し、紛失端末１の端末状態情報を受信することができる。
【００９１】
また外部端末３は、返却時対価条件情報入力機能３１、プレゼンス情報受信機能３２、紛失状態入力機能３３を持つ。
【００９２】
返却時対価条件情報入力機能３１は、紛失端末１の所有者が外部から対価条件の設定や変更を行う。
【００９３】
プレゼンス情報受信機能３２は、紛失端末１から端末の位置情報、操作履歴、残存電池容量、返却操作に入ったか否かなどの端末状態情報を受信する。
【００９４】
紛失状態入力機能３３は、所有者などが紛失端末１に明示的に紛失状態と入力設定する。例えば、紛失端末１とＳＰＣキー２を同時に紛失した時には、外部から入力設定しないと紛失端末１の紛失状態判断部１４は紛失状態と判断できないため外部からの入力も有効となる。
【００９５】
〔動作の説明〕
次に、図１、図２を参照して本実施例の動作について詳細に説明する。
図２は、図１に示した紛失携帯端末装置返却システムにおける所有者４、拾得者５、及び返却仲介者６を記し、紛失端末が経由する過程を記す。
まず図２において図１の紛失端末１はＳＰＣキー２を有する所有者４によって保持されている。
図１の紛失端末１は、ＳＰＣキー２と通信を行っている。紛失端末１はＳＰＣキー２から受信することによってＳＰＣキー２が物理的に近接していることを認識し続ける。
【００９６】
しかし、ＳＰＣキー２からの信号が受信できなくなると紛失端末１に含まれる紛失状態検知部１６が検知し、紛失状態判断部１４に伝達する。
【００９７】
この紛失状態検知の過程はＳＰＣキー２からの通信状況だけでなく、外部端末３の紛失状態入力機能３３を用いて紛失端末１の認識部１８、紛失状態受信機能１７３を通して紛失状態判断部１４に伝達されることも可能である。
【００９８】
紛失状態判断部１４が紛失状態であると判断すると操作状態判断部１３に伝達し、そして操作状態判断部１３が操作状態取得/保存部１５に端末操作状況を取得し保存し、変化があった時に通知することを命じる。また端末状態判断部１３が端末状態情報通知機能１７２に伝達することにより、認証部１８を経てプレゼンス情報受信機能３２に伝達することができる。
【００９９】
また紛失時端末制御部１２は、対価推移スケジュール情報保存部１１に問い合わせ、現在における対価の情報と今後の対価が推移する情報とを取得する。そして紛失時端末制御部１２は、返却方法、電話番号やＥメールなどの希望する連絡先、返却時の対価、返却時の対価の今後の推移を表示し、画面ロックや電話やＥメールなどの通信手段の宛先の制限などの機能制限を行う。またそれと同時に操作記録を取っていることや所有者側の状況を表示することもできる。
【０１００】
ここで、紛失端末１の所有者が外部端末３から返却に対する対価を設定し直すことができる。返却時対価条件情報入力機能３１で入力された現在に提示する対価や今後の対価を修正する。対価を修正すると認証部１８を通して設定情報受信機能１７１が対価推移スケジュール情報保存部１１に伝達し保存され、また紛失時端末制御部１２にも伝達し拾得者に対して行う表示内容を変更する。またこれと同様に設定情報入力機能３１から入力することにより、認証部１８と設定情報受信機能１７１とを介して紛失時端末制御部１２に伝達することにより機能制限内容を変更する。
【０１０１】
次に図２において図１の紛失端末１は拾得者５によって拾得されたとものする。この時も上記と同様に所有者などからの外部端末２を用いた設定変更や通知を行うことが可能である。
【０１０２】
拾得者は、紛失端末１を操作することによる入力もしくは電話やＥメールなどの通信手段により、返却の意思を示すことができる。操作による入力の場合は、端末状態取得/保存部１５は端末が返却されるプロセスに入ったことを認識し保存し、端末状態判断部１３に伝達し、紛失時端末制御部１２に伝える。また端末状態情報通知機能１７２と認識部１８とを通してプレゼンス情報受信機能３２に通知する。通知内容は返却の意思、返却の意思を示した時の対価の額、返却プロセスに準じた操作内容の有無，位置情報、端末の電池容量、画像（動画、静止画）情報などの端末の状況や状況の経過推移を伝える情報である。
【０１０３】
逆に端末状態判断部１３が、端末１が拾得者により不正利用を試みられていると判断した時には、紛失時端末制御部１２に伝達し、上記と同様にプレゼンス情報受信機能３２まで伝えるが、それと同時に通信アクセスのポーリング（Polling）周期を長くするなど電源消費を抑えるようにしてもよい。
【０１０４】
次に図２において図１の紛失端末１は拾得者５によって返却仲介者６に返却依頼がされたとする。
返却仲介者は、操作することによる入力もしくは電話やＥメールなどの通信手段により、返却可能なことや返却方法を所有者に通知する。操作による入力の場合は、端末状態取得/保存部１５は端末が返却依頼されたことを認識し保存し、端末状態判断部１３に伝達し、紛失時端末制御部１２に伝える。
また端末状態情報通知機能１７２と認識部１８とを通してプレゼンス情報受信機能３２に通知する。通知内容は返却の意思、返却時の対価の額、返却プロセスの連絡先、連絡方法，位置情報、端末の電池容量、画像（動画、静止画）情報などの端末の状況や状況の経過推移を伝える情報である。
【０１０５】
最後に図２において図１の紛失端末１は返却仲介者６から所有者４に返却されたものとする。
返却時、所有者４もしくは返却仲介者６が紛失端末１を機能制限状態から復旧させる。その方法は、ＳＰＣキー２を保持しつつ紛失端末１に近づくことでなされる場合もあり、パスワードや生体認証などのセキュリティの確認手段によりなされることもあり、返却仲介者６が所有者４の本人確認を済ませた後に入力することもありうる。
また所有者４による対価を返却仲介者６や拾得者５が受けたことを条件として復旧することもありうる。また返却仲介者６は通信事業者などの紛失端末１に関係するサービス事業者、独立事業者、公共機関などの組織を指すこともあるが、電子認証で開けることが可能なコインロッカーなどの空間、郵送などの手段を指すこともある。もしくは返却仲介者６は必ずしも必要がなく、拾得者５から所有者４へ直接返却することもありうる。
【０１０６】
ここで、図３及び図４を用いて動作について説明する。
図３は、携帯端末装置の紛失検知から対価確定までを示すフローチャートの一例であり、図４は、携帯端末装置の返却から報労金の支払いまでを示すフローチャートの一例である。
図３において、携帯端末装置の図示しないＣＰＵにより、ＳＰＣによる携帯端末装置の紛失が検知されたか否かが判断される（ステップＳ１０）。ＳＰＣによる紛失検知が無いと判断された場合（ステップＳ１０／ＮＯ）、前述したＣＰＵにより外部端末からの入力による紛失検知が有るか否かが判断される（ステップＳ１１）。外部端末からの入力による紛失検知が有ると判断された場合（ステップＳ１１／ＹＥＳ）、携帯端末装置の表示部には対価／対価推移スケジュール情報が表示される（ステップＳ１２）。携帯端末装置の表示部には対価／対価推移スケジュール情報が表示されると、前述したＣＰＵはＳＰＣにより紛失状態が解除されたか否かを判断する（ステップＳ１３）。ＳＰＣにより紛失状態が解除されていないと判断された場合（ステップＳ１３／ＮＯ）、外部入力により紛失状態が解除されたか否かが判断される（ステップＳ１４）。外部入力により紛失状態が解除されていないと判断された場合（ステップＳ１４／ＮＯ）、前述したＣＰＵは携帯端末装置の操作状況の確認・判断を行い（ステップＳ１５）、端末プレゼンスを保存し外部へ通知する（ステップＳ１６）。前述したＣＰＵは紛失した携帯端末装置が返却操作に向かっているか否かを判断し（ステップＳ１７）、返却操作に向かっていると判断した場合（ステップＳ１７／ＹＥＳ）、携帯端末装置の所有者への返却時における報労金の対価を確定して終了する（ステップＳ１８）。
【０１０７】
ＳＰＣによる紛失検知が有る場合（ステップＳ１０／ＹＥＳ）、及び返却操作に向かっていない場合（ステップＳ１７／ＮＯ）はステップＳ１２に進む。
外部端末からの入力による紛失検知が無い場合（ステップＳ１１／ＮＯ）、ＳＰＣにより紛失状態が解除された場合（ステップＳ１３／ＹＥＳ）、及び外部入力により紛失状態が解除された場合（ステップＳ１４／ＹＥＳ）はステップＳ１０に戻る。
【０１０８】
図４において、携帯端末装置の拾得者が返却仲介者へ拾得した携帯端末装置の返却依頼をすると（ステップＳ２０）、返却仲介者が所有者へ拾得した携帯端末装置を返却し（ステップＳ２１）、返却仲介者もしくは所有者が返却された携帯端末装置の機能を復帰し（ステップＳ２２）、拾得者への報労金の支払いが行われて終了する（ステップＳ２３）。
【０１０９】
〔効果の説明〕
以上のように、本実施例によれば、紛失時に機能制限がなされた中でも返却へのプロセスを紛失端末１が提示し、返却プロセスへの誘導とともに返却時の報労金の対価を記すことにより返却意欲（Incentive）を持たせることができる。また返却仲介者６を介することにより、必ずしも拾得者５と所有者４が直接会わなくとも、返却時の報労金の対価を支払うプロセスが保証される。また拾得者５は所有者４に対して匿名のまま返却することも可能にできるシステムである。
【図面の簡単な説明】
【０１１０】
【図１】本発明に係る紛失携帯端末装置返却誘導方法を適用した紛失携帯端末装置返却システムの一実施例を示す概念図である。
【図２】図１に示した紛失携帯端末装置返却システムにおける所有者４、拾得者５、及び返却仲介者６を記し、紛失端末が経由する過程を記す概念図である。
【図３】携帯端末装置の紛失検知から対価確定までを示すフローチャートの一例である。
【図４】携帯端末装置の返却から報労金の支払いまでを示すフローチャートの一例である。
【符号の説明】
【０１１１】
１    紛失端末
２    ＳＰＣキー
３    外部端末
１１    対価推移スケジュール情報保存部
１２    紛失時端末制御部
１３    端末情報判断部
１４    紛失状態判断部
１５    操作状態取得／保存部
１６    紛失状態検知／解除部
１７    外部入出力送受信部
１８    認証部
３１    設定情報入力機能
３２    プレゼンス情報受信機能
３３    紛失状態入力機能
１７１    設定情報受信機能
１７２    端末状態情報通知機能
１７３    紛失状態受信機能
【図１】
2008252552.tif 000003
【図２】
2008252552.tif 000004
【図３】
2008252552.tif 000005
【図４】
2008252552.tif 000006